(57)【要約】【課題】建物完成後のメンテナンス等においても使用することができる、建物における足場の壁つなぎ取付け金物の取付け構造を提供する。【解決手段】足場の壁つなぎ取付け金物１が、建物の外壁面７であって、背後に建物の構造部分８が備えられている部位に、前記構造部分８を下地としてビス９で取り付けられ、壁つなぎ取付け金物１と外壁面７との間は止水材１１で止水されていると共に、ビス頭部９ａと壁つなぎ取付け金物１との間も止水材１２で止水されており、壁つなぎ取付け金物１の壁つなぎ用雌ネジ部４がキャップ材２や雄ネジ材３等によるカバー材にてカバーされている。【選択図】      図１
2009102885.tif 000002
【特許請求の範囲】
【請求項１】
足場の壁つなぎ取付け金物が、建物の外壁面であって、背後に建物の構造部分が備えられている部位に、前記構造部分を下地としてビスで取り付けられ、壁つなぎ取付け金物と外壁面との間は第１止水材で止水されていると共に、ビス頭部と壁つなぎ取付け金物との間は第２止水材で止水されており、壁つなぎ取付け金物の壁つなぎ用ネジ部がカバー材にてカバーされていることを特徴とする、建物における足場の壁つなぎ取付け金物の取付け構造。
【請求項２】
前記カバー材が、壁つなぎ取付け金物において、外壁面から突出する部分の全体をカバーする着脱可能なキャップ材からなっている請求項１に記載の、建物における足場の壁つなぎ取付け金物の取付け構造。
【請求項３】
前記キャップ材が外壁面の色と同一系統の色からなっている請求項２に記載の、建物における足場の壁つなぎ取付け金物の取付け構造。
【請求項４】
前記壁つなぎ取付け金物の壁つなぎ用ネジ部が雌ネジ部からなり、カバー材が該雌ネジ部に螺合された雄ネジ材からなり、該雄ネジ材は、その基端部に工具係合部を備えている請求項１に記載の、建物における足場の壁つなぎ取付け金物の取付け構造。
【発明の詳細な説明】
【技術分野】
【０００１】
本発明は、建物における足場の壁つなぎ取付け金物の取付け構造に関する。
【背景技術】
【０００２】
建物の建築において、足場と建物の構造部分とを、壁つなぎで連結する場合に、壁つなぎと建物の構造部分との連結のため、外壁面材の間の目地内に壁つなぎ取付け金物を配置して建物の構造部分にビスで固定し、該壁つなぎ取付け金物に壁つなぎの一端を螺合して連結し、他端を足場に連結することは、従来より行われている。
【特許文献１】実開平６−７６５３５号公報
【発明の開示】
【発明が解決しようとする課題】
【０００３】
しかしながら、上記の壁つなぎ取付け金物は、建物の完成に向けて、足場の取外しに併せて取り外され、目地にはシーリング材等の止水材が取り付けられてしまうため、建物完成後のメンテナンス等において足場を設ける場合に、上記の壁つなぎ取付け金物を使用することができないという問題があった。
【０００４】
本発明は、上記のような問題点に鑑み、建物完成後のメンテナンス等においても使用することができる、建物における足場の壁つなぎ取付け金物の取付け構造を提供することを課題とする。
【課題を解決するための手段】
【０００５】
上記の課題は、足場の壁つなぎ取付け金物が、建物の外壁面であって、背後に建物の構造部分が備えられている部位に、前記構造部分を下地としてビスで取り付けられ、壁つなぎ取付け金物と外壁面との間は第１止水材で止水されていると共に、ビス頭部と壁つなぎ取付け金物との間は第２止水材で止水されており、壁つなぎ取付け金物の壁つなぎ用ネジ部がカバー材にてカバーされていることを特徴とする、建物における足場の壁つなぎ取付け金物の取付け構造によって解決される（第１発明）。
【０００６】
この構造では、壁つなぎ取付け金物が建物の外壁面に設けられているので、建物完成後のメンテナンス等において足場を設ける場合は、壁つなぎ取付け金物からカバー材を外し、該金物の壁つなぎ用ネジ部に壁つなぎを連結して、足場の壁つなぎに用いることができる。
【０００７】
しかも、壁つなぎ取付け金物は、建物の外壁面であって、背後に建物の構造部分が備えられている部位に、前記構造部分を下地としてビスで取り付けられているので、しっかりとした取付け状態を形成することができて、足場をしっかりと支えることができる。
【０００８】
加えて、壁つなぎ取付け金物と外壁面との間は第１止水材で止水されていると共に、ビス頭部と壁つなぎ取付け金物との間は第２止水材で止水されているので、外壁面への壁つなぎ取付け金物の取付けによって建物の止水性能が損なわれてしまうこともない。
【０００９】
更に、壁つなぎ取付け金物の壁つなぎ用ネジ部がカバー材にてカバーされているので、壁つなぎ用ネジ部が護られ、建物完成後のメンテナンス等において、壁つなぎとの連結に支障を生じさせてしまうこともない。
【００１０】
もちろん、上記の壁つなぎ取付け金物は、建物の建築中に取り付けておけば、建築のための足場の壁つなぎ取付け金物として使用することができ、建物建築後に取り外す必要もなく、カバー材を取り付けておくだけでよく、また、外壁面材間の目地の止水の施工とかちあうこともない。
【００１１】
第１発明において、前記カバー材が、壁つなぎ取付け金物において、外壁面から突出する部分の全体をカバーする着脱可能なキャップ材からなっているとよい（第２発明）。この場合は、壁つなぎ取付け金物の全体をカバーで隠すことができて、建物の外壁面の体裁を壁つなぎ取付け金物によって悪くしてしまうことがない。
【００１２】
第２発明において、前記キャップ材が外壁面の色と同一系統の色からなっている場合（第３発明）は、キャップ材の存在さえ目立たなくすることかできて、外壁面の体裁をキャップ材によって悪くしてしまうこともない。
【００１３】
第１発明において、前記壁つなぎ取付け金物の壁つなぎ用ネジ部が雌ネジ部からなり、カバー材が該雌ネジ部に螺合された雄ネジ材からなり、該雄ネジ材は、その基端部に工具係合部を備えているのもよい（第４発明）。この場合は、雌ネジ部の孔が外に露出するのを防いで、外壁面における壁つなぎ取付け金物の体裁を良くすることができる。
【発明の効果】
【００１４】
本発明の、建物における足場の壁つなぎ取付け金物の取付け構造は、以上のとおりのものであるから、建物完成後のメンテナンス等においても使用することができ、また、建物の止水性能を損なわせることもない。
【発明を実施するための最良の形態】
【００１５】
次に、本発明の実施最良形態を図面に基づいて説明する。
【００１６】
図１〜図４に示す実施形態の取付け構造において、１は壁つなぎ取付け金物、２はカバー材としてのキャップ材、３は同じくカバー材としての雄ネジ材である。
【００１７】
壁つなぎ取付け金物１は、図１（ニ）に示すように、正面視長円状をしていて、正面側において、中央部が両側よりも隆起し、該隆起中央部に壁つなぎ用ネジ部としての雌ネジ部４が設けられると共に、該中央部を挟む両側に取付け用のビス通孔６，６が貫通状態に明けられ、平坦な背面部には、その全体にＥＰＴ等の独立気泡の発泡材からなる第１止水材１１が取り付けられている。
【００１８】
この壁つなぎ取付け金物１は、図１（イ）〜（ハ）及び図２（イ）（ロ）に示すように、建物の、窯業系などからなる外壁面７であって、背後に建物の構造部分、例えば、外壁パネルのパネルフレーム８が備えられている部位に、該構造部分８を下地として、ビス９，９にて取り付けられている。なお、１０は目地である。
【００１９】
これらビス９，９の打込みによって、壁つなぎ取付け金物１の背面部と外壁面７とで第１止水材１１が圧縮されて、壁つなぎ取付け金物１と外壁面７との間が止水状態にされ、また、各ビス９の頭部９ａと壁つなぎ取付け金物１との間には、座金式のリング状第２止水材１２が介設され、ビス９，９の締込みによって、第２止水材１２が圧縮されて、ビス頭部９ａと壁つなぎ取付け金物１との間も止水状態にされている。
【００２０】
キャップ材２は、図１（ホ）に示すように、壁つなぎ取付け金物１において、外壁面７から突出する部分の全体をカバーすることができる正面視長円状のものからなっていて、壁つなぎ取付け金物１に対して着脱可能な構成が採られており、図２（ロ）及び図３（イ）に示すように、外壁面７から突出する壁つなぎ取付け金物１の全体をカバーするように壁つなぎ取付け金物１に取り付けられて、壁つなぎ取付け金物１の雌ネジ部４をカバーしている。
【００２１】
キャップ材２の着脱を可能にするための構造としては、キャップ材２の周壁が壁つなぎ取付け金物１の周壁を締め付けるように嵌合されるようになされた構造によるものであってもよいし、キャップ材２の周壁の内面側と壁つなぎ取付け金物１の周壁の外面側とに設けた凹凸の嵌合や、爪と受けの係合によるものであってもよく、種々の構造が採用されてよい。
【００２２】
また、このキャップ材２は、色が外壁面７の色と同一系統の耐候性ポリキャップ材からなっている。
【００２３】
雄ネジ材３は、図１（ヘ）に示すように、外周部に、壁つなぎ取付け金物１の雌ネジ部４と螺合可能な雄ネジ部３ａを備えた円柱材からなっていて、その基端面にはドライバーを係合させる工具係合部３ｂが備えられており、図２（ハ）、図３（ロ）に示すように、壁つなぎ取付け金物１の雌ネジ部４に螺入されて、壁つなぎ取付け金物１の雌ネジ部４をカバーしている。
【００２４】
雄ネジ材３とキャップ材２とは、そのいずれか一方が用いられてもよいし、両方が用いられてもよい。
【００２５】
上記の構造では、建物完成後のメンテナンス等において足場を設ける場合は、壁つなぎ取付け金物１からカバー材を外し、図４（イ）（ロ）に示すように、壁つなぎ取付け金物１の雌ネジ部４に壁つなぎ１３を連結して、足場の壁つなぎに用いることができる。
【００２６】
しかも、壁つなぎ取付け金物１は、建物の外壁面７であって、背後に建物の構造部分８が備えられている部位に、前記構造部分８を下地としてビスで取り付けられているので、しっかりとした取付け状態を形成することができて、足場をしっかりと支えることができる。
【００２７】
加えて、壁つなぎ取付け金物１と外壁面７との間は第１止水材１１で止水されていると共に、ビス頭部９ａと壁つなぎ取付け金物１との間も第２止水材１２で止水されているので、外壁面７への壁つなぎ取付け金物１の取付けによって建物の止水性能が損なわれてしまうこともない。
【００２８】
更に、壁つなぎ取付け金物１の不使用時は、その壁つなぎ用の雌ネジ部がキャップ材２や雄ネジ材３にてカバーされているので、該雌ネジ部４が護られ、建物完成後のメンテナンス等において、壁つなぎ１３との連結に支障を生じさせてしまうこともない。
【００２９】
また、キャップ材２を用いる場合は、該キャップ材２で壁つなぎ取付け金物１の全体が隠されるので、建物の外壁面７の体裁を壁つなぎ取付け金物１によって悪くしてしまうことがなく、また、このキャップ材２は、色が外壁面の色と同一系統の色からなっているので、キャップ材の存在さえ目立たなく、外壁面７の体裁をキャップ材２によって悪くしてしまうこともない。
【００３０】
また、雄ネジ材３を用いる場合は、壁つなぎ用の雌ネジ部４の孔が外に露出するのが防がれて、外壁面における壁つなぎ取付け金物の体裁を良くすることができる。
【００３１】
以上に、本発明の実施形態を示したが、本発明はこれに限られるものではなく、発明思想を逸脱しない範囲で各種の変更が可能である。例えば、上記の実施形態では、壁つなぎ取付け金物が、正面視長円状のものからなっている場合を示したが、壁つなぎ取付け金物の形状やサイズに制限はなく、種々の形態をしていてよいし、雌ネジ部４やビス通孔６の位置、ビス通孔６の数等についても制限はない。
【図面の簡単な説明】
【００３２】
【図１】図（イ）は実施形態の取付け構造を示す正面図、図（ロ）は同断面平面図、図（ハ）は同断面側面図、図（ニ）は壁つなぎ取付け金物の斜視図、図（ホ）はキャップ材の斜視図、図（ヘ）は雄ネジ材の斜視図である。
【図２】図（イ）は外壁面への壁つなぎ取付け金物の取付け方法を示す断面側面図、図（ロ）は壁つなぎ取付け金物へのキャップ材の取付け方法を示す断面側面図、図（ハ）は壁つなぎ取付け金物への雄ネジ材の取付け方法を示す断面側面図である。
【図３】図（イ）はカバー材としてキャップ材を用いた場合の取付け構造の断面斜視図、図（ロ）はカバー材として雄ネジ材を用いた場合の取付け構造の正面図である。
【図４】図（イ）及び図（ロ）は、建物完成後のメンテナンス時の壁つなぎ取付け金物への壁つなぎの取付け方法を順次に示す断面側面図である。
【符号の説明】
【００３３】
１…壁つなぎ取付け金物
２…キャップ材（カバー材）
３…雄ネジ材（カバー材）
４…雌ネジ部（壁つなぎ用ネジ部）
６…ビス通孔
７…外壁面
８…パネルフレーム（構造部分）
９…ビス
９ａ…ビス頭部
１１…第１止水材
１２…第２止水材
【図１】
2009102885.tif 000003
【図２】
2009102885.tif 000004
【図３】
2009102885.tif 000005
【図４】
2009102885.tif 000006